(57)【要約】      （修正有）【課題】簡単な構成によりブレーキブースタに十分な負圧を提供する。【解決手段】内燃機関の負圧の供給を受ける圧力室を備えたブレーキブースタ本体６１と、前記圧力室と内燃機関の吸入空気通路たる吸気系１のうちスロットル弁１１とサージタンク１３との間の部位又はサージタンクとを接続し中途に逆止弁６４を有する第１負圧通路６２と、前記圧力室と吸気系のうちサージタンクよりも下流の部位とを接続し中途に逆止弁たるリードバルブ６６を有する第２負圧通路６３とを具備し、前記圧力室内に供給される前記負圧を利用して作動するブレーキブースタ６を設ける。【選択図】図２
2012192877.tif 000002
【特許請求の範囲】
【請求項１】
内燃機関の負圧の供給を受ける圧力室を備えたブレーキブースタ本体と、
前記圧力室と内燃機関の吸入空気通路のうちスロットル弁とサージタンクとの間の部位又はサージタンクとを接続し中途に逆止弁を有する第１負圧通路と、
前記圧力室と内燃機関の吸入空気通路のうちサージタンクよりも下流の部位とを接続し中途に逆止弁を有する第２負圧通路と
を具備し、
前記圧力室内に供給される前記負圧を利用して作動することを特徴とするブレーキブースタ。
【請求項２】
複数の気筒を有する内燃機関の負圧の供給を受ける圧力室と、
前記圧力室と内燃機関の吸入空気通路のうちサージタンクよりも下流で前記複数の気筒のうち空気流量が少ない気筒に接続する部位とを接続する負圧通路と
を具備し、
前記圧力室内に供給される前記負圧を利用して作動することを特徴とするブレーキブースタ。
【請求項３】
前記圧力室と複数の気筒のうち空気流量が少ない気筒の吸入空気通路とを接続する負圧通路を有する請求項１又は２記載のブレーキブースタとともに用いられる車両制御装置であって、
ブレーキ操作量が減少した際に前記負圧通路が接続されている気筒の燃料噴射量の増量補正を行う車両制御装置。
【発明の詳細な説明】
【技術分野】
【０００１】
本発明は、車両に用いられるブレーキブースタ、及びこのブレーキブースタとともに用いられる車両制御装置に関する。
【背景技術】
【０００２】
従来、車両、特には自動車では、制動システムを構成する摩擦式のブレーキの操作力を制御するために気圧式倍力装置すなわちブレーキブースタを備えたものが知られている。このブレーキブースタは、負圧を蓄積する定圧室と負圧よりも高圧な空気が蓄積される変圧室とを備えるものが一般的である。そして、ブレーキブースタは、定圧室にはエンジン（内燃機関）の吸気通路から負圧を導入し、その負圧と変圧室の圧力との差を利用して、自動車の乗員がブレーキペダルを操作した場合にブレーキに加わる操作力が大きくなるように機能するものである。
【０００３】
ところで、エンジンを始動した直後の冷間時には、一般に、エンジン回転数を上げるためにスロットル開度を大きくする制御を行うため吸気マニホルドにおいて十分な吸気管負圧が得られなくなることがある。また、空調装置の使用時や、排気ガス循環制御を行っている場合も同様に吸気通路からの吸気管負圧を十分に確保できなくなることがある。このような課題を解決するための手段の一つして、ベンチュリ効果を発生させるためのベンチュリ部を備え、このベンチュリ部によりベンチュリ効果を発生させて負圧をブレーキブースタに供給する構造が考えられている（例えば、特許文献１）。
【０００４】
しかし、特許文献１の構造では、ベンチュリ効果を発生させるためのベンチュリ部、ベンチュリ効果を利用する必要がない程度に吸気通路内の負圧が大きい場合に吸気通路内の負圧を直接ブレーキブースタに供給させるための低圧バイパス通路、及び前記ベンチュリ部を経由して負圧をブレーキブースタに供給する状態と前記低圧バイパス通路を経由して負圧をブレーキブースタに供給する状態とを切り替えるための負圧切替弁等を設ける必要があり、構造が複雑なものとなるという別の不具合が生じる。
【先行技術文献】
【特許文献】
【０００５】
【特許文献１】特開２００８−１５５６８７号公報
【発明の概要】
【発明が解決しようとする課題】
【０００６】
本発明は以上の点に着目し、簡単な構成によりブレーキブースタに十分な負圧を提供することを目的とする。
【課題を解決するための手段】
【０００７】
すなわち本発明に係るブレーキブースタの一つは、内燃機関の負圧の供給を受ける圧力室を備えたブレーキブースタ本体と、前記圧力室と内燃機関の吸入空気通路のうちスロットル弁とサージタンクとの間の部位又はサージタンクとを接続し中途に逆止弁を有する第１負圧通路と、前記圧力室と内燃機関の吸入空気通路のうちサージタンクよりも下流の部位とを接続し中途に逆止弁を有する第２負圧通路とを具備し、前記圧力室内に供給される前記負圧を利用して作動することを特徴とする。
【０００８】
また、本発明に係るブレーキブースタの他の一つは、複数の気筒を有する内燃機関の負圧の供給を受ける圧力室を備えたブレーキブースタ本体と、前記圧力室と内燃機関の吸入空気通路のうちサージタンクよりも下流で前記複数の気筒のうち空気流量が少ない気筒に接続する部位とを接続する負圧通路とを具備し、前記圧力室内に供給される前記負圧を利用して作動することを特徴とする。なお、本発明において、「ブレーキブースタが作動する」とは、ブレーキブースタによりブレーキ力をアシストされることを示す概念である。
【０００９】
これらのようなものであれば、スロットル弁とサージタンクとの間の部位と比較して、サージタンクよりも下流の部位は吸気弁の開閉に伴う吸気脈動がより大きいので、サージタンクにより大きな負圧を供給することができる。すなわち、特許文献１記載のものと比較して、このような効果を簡単な構成で得ることができる。特に、複数の気筒のうち空気流量が少ない気筒に接続するものであれば、このような気筒の空気流量が少ないことからさらに大きな負圧を供給できるとともに、この負圧通路を介して空気流量が少ない気筒に空気を供給できるので、気筒間の空気流量のばらつきを低減することができる。
【００１０】
このように前記圧力室と複数の気筒のうち空気流量が少ない気筒の吸入空気通路とを接続する負圧通路を有するブレーキブースタを用いる場合には、ブレーキ操作量が減少した際に前記負圧通路が接続されている気筒の燃料噴射量の増量補正を行う車両制御装置をともに用いるとよい。このようなものであれば、ブレーキ操作量が減少した際にブレーキブースタから空気が供給されることを加味して燃料噴射量の増量補正を行うので、気筒内の燃焼の安定を図ることができるからである。
【発明の効果】
【００１１】
本発明によれば、簡単な構成によりブレーキブースタに十分な負圧を提供することができる。
【図面の簡単な説明】
【００１２】
【図１】本発明の一実施形態における内燃機関を概略的に示す図。
【図２】同実施形態におけるブレーキブースタを概略的に示す図。
【図３】図２における要部を拡大して示す図。
【図４】同実施形態における吸気系内の負圧の時間変化
【図５】同実施形態における電子制御装置が実行する処理を示すフローチャート。
【図６】本発明の他の実施形態におけるブレーキブースタを概略的に示す図。
【発明を実施するための形態】
【００１３】
以下、本発明の一実施形態を、図面を参照して説明する。
【００１４】
図１に１気筒の構成を概略的に示した３気筒の内燃機関たるエンジン１００は、例えば自動車に搭載されるものである。このエンジン１００は、吸入空気通路たる吸気系１、シリンダ２及び排気系５を備えている。吸気系１には、図示しないアクセルペダルに応じて開閉するスロットル弁１１が設けてあり、そのスロットル弁１１の下流には、サージタンク１３、及びこのサージタンク１３から各気筒に連通する通路１４を一体に有する吸気マニホルド１２が取り付けてある。シリンダ２上部に形成される燃焼室２３の天井部には、点火プラグ８が取り付けてある。さらに、吸気マニホルド１２の吸気ポート側端部には、燃料噴射弁３が取り付けてある。この燃料噴射弁３は、後述する電子制御装置４により制御される。これに対して、排気系５は、排気マニホルド５３、フロントＯ2センサ５１、三元触媒５２、及びリアＯ2センサ５４を備えている。
【００１５】
また、本実施形態では、負圧室と変圧室とから構成される圧力室を備えるものであって、図２及び図３に示すように、前記吸気系１から負圧の供給を受ける図示しない負圧室、ブレーキペダルＢＰが踏み込まれていないときには前記吸気系１から負圧の供給を受け、ブレーキペダルＢＰが踏み込まれているときには前記吸気系１からの負圧の供給を遮断し外部から大気圧の供給を受ける図示しない変圧室、及びこれら負圧室と変圧室との間を区画するとともに変圧室側をブレーキペダルＢＰに接続している図示しないピストンを有するブレーキブースタ本体６１と、前記負圧室と変圧室とから構成される圧力室とサージタンク１３とを接続し中途に逆止弁６４を有する第１負圧通路６２と、前記圧力室と前記吸気系１のうちサージタンク１３よりも下流の部位、より具体的には前記複数の気筒のうち空気流量が少ない気筒に接続する前記通路１４とを接続し中途に絞り６５を有する第２負圧通路６３とを具備し、前記圧力室内に供給される前記負圧を利用してブレーキ力をアシストする、すなわちブレーキペダルＢＰの操作をアシストするするブレーキブースタ６をさらに具備する。
【００１６】
前記ブレーキブースタ本体６１は、前記負圧室内及び前記変圧室内の両方に前記負圧の供給を受けた状態からブレーキペダルが踏み込まれることによって、前記変圧室内に大気圧が供給される際に前記負圧室と前記変圧室との間に発生する差圧により前記ピストンが駆動されることにより、このピストンの負圧室側に接続したプッシュロッド６０を駆動してブレーキペダルＢＰの操作をアシストする、従来周知のものとほぼ同様の構成を有する。なお、前記ブレーキブースタにおいては、ブレーキペダルが踏み込まれている状態から踏み込まれていない状態へと変化すると、変圧室内に供給されていた大気圧、言換えると大気空気が前記第１負圧通路６２及び前記第２負圧通路６３を通って吸気系１に供給されることとなる。
【００１７】
また、前記第１負圧通路６２も、サージタンク１３から負圧をブレーキブースタ本体６１の圧力室に導入するための従来周知のものと同様の構成を有する。
【００１８】
前記第２負圧通路６３は、上述したように、前記圧力室と前記複数の気筒のうち空気流量が少ない気筒に接続する前記通路１４とを接続するものである。より具体的には、この第２負圧通路６３の一端部は、吸気脈動が最も大きい部位である吸気ポート直前の箇所に接続している。また、この第２負圧通路６３の吸気系１側の端部には、図３に示すように、リードバルブ６６を設けている。このリードバルブ６６は、吸気脈動に追随可能な逆止弁であり、ブレーキブースタ本体６１の圧力室に正圧が導入されるのを防ぐ機能を有する。また、このリードバルブ６６は、請求項中の逆止弁としての機能を有する。ここで、吸気系１内におけるサージタンク１３内及び第２の負圧通路６３が接続される部位の負圧の時間変化の一例を図４に示す。
【００１９】
一方、前記電子制御装置４は、マイクロコンピュータ４１と、メモリ４２と、入力インターフェース４３と、出力インターフェース４４とを備えて構成されている。マイクロコンピュータ４１は、メモリ４２に格納された、以下に説明する種々のプログラムを実行して、エンジン１００の運転を制御するものである。マイクロコンピュータ４１には、エンジン１００の運転制御に必要な情報が入力インターフェース４３を介して入力されるとともに、マイクロコンピュータ４１は、燃料制御弁３、点火プラグ８などに対して制御信号を、出力インターフェース４４を介して出力する。この電子制御装置４は、請求項中の制御装置として機能する。
【００２０】
具体的には、入力インターフェース４３には、サージタンク１３内の圧力を検出するための吸気圧センサ７１から出力される吸気圧信号ａ、エンジン回転数を検出するための回転数センサ７２から出力される回転数信号ｂ、カムポジションセンサ７３から出力される気筒判別信号ｃ、ブレーキペダルＢＰに接続したブレーキ操作量センサ７４から出力されるブレーキ操作量信号ｄなどが入力される。
【００２１】
一方、出力インターフェース４４からは、点火プラグ８に対して点火信号ｍ、燃料制御弁３に対して燃料噴射信号ｎ等が出力される。
【００２２】
このような構成において、電子制御装置４は、吸気圧センサ７１から出力される吸気圧信号ａと回転数センサ７２から出力される回転数信号ｂとを主な情報として、運転状態に応じて設定される係数を用いて燃料噴射量を演算し、燃料噴射量に対応する燃料噴射時間つまり燃料噴射弁３に対する通電時間を決定し、その決定された通電時間により燃料噴射弁３を制御して、燃料を吸気系１に噴射させる。さらに本実施形態では、燃料噴射量を決定するに当たって、ブレーキ操作量が減少した際には、前記第２の負圧通路が接続されている気筒において増量補正を行う。
【００２３】
以下、ブレーキ操作量が減少した際に電子制御装置４が行う制御の手順をフローチャートである図５を参照しつつ説明する。
【００２４】
まず、前記吸気圧信号ａが示す吸気圧と前記回転数信号ｂが示す回転数とをパラメータとして燃料噴射量を演算する（Ｓ１）。次いで、ブレーキ操作量信号ｄが示すブレーキ操作量が減少しているか否かを判定する（Ｓ２）。ブレーキ操作量が減少している場合には、前記気筒判別信号ｃが示す気筒すなわちこれから燃料噴射を行う気筒がブレーキブースタの第２の負圧通路に接続した気筒であるか否かを判定し（Ｓ３）、これから燃料噴射を行う気筒がブレーキブースタ６の第２の負圧通路６３に接続した気筒である場合には、ステップＳ１で演算した燃料噴射量に、ブレーキブースタ６から供給される空気量に対応させて増量する補正を行い（Ｓ４）、増量補正後の燃料噴射量を噴射する制御を行う（Ｓ５）。一方、ブレーキ操作量が減少していない場合、及びこれから燃料噴射を行う気筒がブレーキブースタ６の第２の負圧通路６３に接続した気筒でない場合には、ステップＳ１で演算した燃料噴射量を噴射する制御を行う（Ｓ６）。なお、ステップＳ１による燃料噴射量の演算は、この種の内燃機関における吸気圧及び回転数をパラメータとした従来周知の燃料噴射量と同様のものである。また、前記増量補正による増量幅は予め実験により求められたものであり、電子制御装置４のメモリ４２の所定領域に格納している。
【００２５】
すなわち、ブレーキ操作量が減少した場合には、ブレーキブースタの第２の負圧通路に接続した気筒に対しては、前記ステップＳ１→Ｓ２→Ｓ３→Ｓ４→Ｓ５の制御が順次行われ、ブレーキブースタから供給された空気量の増加に対応して増量補正が行われた後の燃料噴射量が噴射される。一方、その他の気筒に対しては、前記ステップＳ１→Ｓ２→Ｓ３→Ｓ６の制御が順次行われ、通常の噴射量制御による燃料噴射量が噴射される。
【００２６】
以上に述べたように、本実施形態によれば、第２の負圧通路６３の一端を吸気弁の開閉に伴う吸気脈動が前記図４に示すようにより大きいサージタンク１３よりも下流の部位、より具体的には吸気脈動が最も大きい部位である吸気ポート直前の箇所に接続しているので、サージタンク１３に一端部を接続した第１の負圧通路６２のみを設ける場合と比較して、ブレーキブースタ本体６１に、より大きな負圧を供給することができる。
【００２７】
また、第２の負圧通路６３を複数の気筒のうち空気流量が少ない気筒に接続しているので、このような気筒の空気流量が少ないことからさらに大きな負圧を供給できるとともに、この負圧通路を介して空気流量が少ない気筒に空気を供給できるので、気筒間の空気流量のばらつきを低減することができる。
【００２８】
さらに、上述したように吸気弁の開閉に伴う吸気脈動がより大きいサージタンク１３よりも下流の部位にその一端を接続した第２の負圧通路６３を設けることにより、前記特許文献１記載のもののようなベンチュリ部や負圧切替弁等を設ける態様のものと比較して、部品点数の削減及び構造の簡単化を図ることができ、上述した効果をより低コストで実現することができる。
【００２９】
加えて、電子制御装置４が、ブレーキ操作量が減少した際に前記第２の負圧通路６３が接続されている気筒の燃料噴射量の増量補正を行うので、ブレーキ操作量が減少した際にブレーキブースタ６から空気が供給されることを加味して燃料噴射量の増量補正が行われ、気筒内の燃焼の安定を図ることができる。
【００３０】
なお、本発明は上述した実施形態に限らず、種々に変更してよい。
【００３１】
例えば、上述した実施形態におけるブレーキブースタ６に替えて、負圧室と変圧室とから構成される圧力室を備えるものであって、図６に構成を示すように、前記吸気系１から負圧の供給を受ける図示しない負圧室、ブレーキペダルＢＰが踏み込まれていないときには前記吸気系１から負圧の供給を受け、ブレーキペダルＢＰが踏み込まれているときには前記吸気系１からの負圧の供給を遮断し外部から大気圧の供給を受ける図示しない変圧室、及びこれら負圧室と変圧室との間を区画するとともに変圧室側をブレーキペダルに接続している図示しないピストンを有し、前記負圧室及び前記変圧室内の両方に負圧の供給を受けた状態からブレーキペダルが踏み込まれることによって、前記変圧室内に大気圧が供給される際に前記ピストンの負圧室側に接続したプッシュロッドＡ６０を駆動してブレーキペダルＢＰの操作をアシストするブレーキブースタ本体Ａ６１と、前記圧力室と複数の気筒のうち空気流量が少ない気筒に接続する通路１４とを接続し中途に絞りＡ６５及び逆止弁としてのリードバルブＡ６６を有する第２負圧通路Ａ６３とのみを具備するブレーキブースタＡ６を採用してもよい。
【００３２】
また、ブレーキ操作量が減少した際にブレーキブースタから空気が供給されることに伴う燃料噴射量の増量補正は、上述した実施形態に述べた以外の方法で行うようにしてもよく、場合によってはこのような増量補正を省略してもよい。
【００３３】
その他、本発明の趣旨を損ねない範囲で種々に変更してよい。
【符号の説明】
【００３４】
１…吸気系（吸入空気通路）
１３…サージタンク
４…電子制御装置（車両制御装置）
６、Ａ６…ブレーキブースタ
６１、Ａ６１…ブレーキブースタ本体
６２…第１の負圧通路
６３…第２の負圧通路
Ａ６３…負圧通路
【図１】
2012192877.tif 000003
【図２】
2012192877.tif 000004
【図３】
2012192877.tif 000005
【図４】
2012192877.tif 000006
【図５】
2012192877.tif 000007
【図６】
2012192877.tif 000008